(57)【要約】【課題】バックガードとミラーキャビネットの間に、アンダーミラーを取り付ける際に、ミラーキャビネットとアンダーミラーの位置決めをし易くする。【解決手段】後縁部にバックガード３を有する洗面カウンタ４とミラーキャビネット５を備える洗面化粧台１において、バックガード３とミラーキャビネット５の間にバックパネル６を有し、バックパネル６にアンダーミラー７が取り付けられており、ミラーキャビネット５は収納部４５と扉部４６を備え、収納部４５の下端４７とアンダーミラー７との間には隙間５０が設けられており、扉部４６の下端５１はアンダーミラー７の上端５２よりも下側に位置するように延長されている。【選択図】図２
2018029792.tif 000002
【特許請求の範囲】
【請求項１】
後縁部にバックガードを有する洗面カウンタとミラーキャビネットを備える洗面化粧台において、バックガードとミラーキャビネットの間にバックパネルを有し、バックパネルにアンダーミラーが取り付けられていることを特徴とする洗面化粧台。
【請求項２】
請求項１に記載の洗面化粧台において、ミラーキャビネットは収納部と扉部を備え、収納部の下端とアンダーミラーの上端との間には隙間が設けられており、扉部の下端はアンダーミラーの上端よりも下側に位置するように延長されてなることを特徴とする洗面化粧台。
【請求項３】
請求項１または２に記載の洗面化粧台において、アンダーミラーの上下端部を覆い水平方向に延びる上取付具、下取付具によりアンダーミラーがバックパネルに取り付けられており、下取付具は水抜き孔を備えることを特徴とする洗面化粧台。
【請求項４】
請求項３に記載の洗面化粧台において、水抜き孔の前端はバックガードの前端よりも前側に位置していることを特徴とする洗面化粧台。
【発明の詳細な説明】
【技術分野】
【０００１】
本発明は、洗面化粧台に関するものである。
【背景技術】
【０００２】
従来、洗面化粧台においてアンダーミラーを備えた構成は知られている。図７（ａ）に示すようなアンダーミラー７を備えた従来例の洗面化粧台６０は、洗面カウンタ４とその上方に設けられたミラーキャビネット５の間において、アンダーミラー７を上取付具１１および下取付具１２によって、直接、壁２に取り付けられている。
【０００３】
アンダーミラー７を壁２に取り付ける手段としては、上取付具および下取付具を使用することなく、両面テープ等も使用されている。
【０００４】
さらに、洗面化粧台においてアンダーミラーを備えた構成として、例えば、上部鏡と下部鏡とを側面視略Ｔ型の棚部を備えた鏡支持部材を介して取付けられた洗面器上方に設置する一面鏡が知られている（特許文献１参照）。そして、三面鏡の下方にその全幅方向に亘って設けられるミラーが知られている（特許文献２参照）。
【０００５】
また、ミラーの下取付具に水抜き孔を備えた洗面化粧台が知られている。例えば、 洗面化粧台本体とミラーキャビネットとの境界部に設けられ、舌片と、水平方向に突設される挟持片とを備えてなるモールにおいて、挟持片の上面の溝部に水抜き孔を穿設しミラーキャビネットと舌片との間から侵入した水を排水する構成が知られている（特許文献３参照）。
【０００６】
さらに、ミラーキャビネット本体の底面部に設けた底側面に、水抜き孔を設け、洗面時に水がかかった場合に水が溜まらない構造が知られている（特許文献４参照）。
【０００７】
さらに、洗面化粧台のバックガードとミラーキャビネットの間に断面コ字状の上段バックガード部材を設ける構成が知られている（特許文献５参照）。
【先行技術文献】
【特許文献】
【０００８】
【特許文献１】特開２００３−２４２２６号公報
【特許文献２】特許第４１４６６５１号公報
【特許文献３】実開平５−８０３８４号公報
【特許文献４】特開２００３−２７５５１５号公報
【特許文献５】特許第５４５７８２３号公報
【発明の概要】
【発明が解決しようとする課題】
【０００９】
図７（ａ）等に示す従来例の洗面化粧台６０においては、ミラーキャビネット５の下方に設けるアンダーミラー７は、ミラーキャビネット５との位置関係等を考慮して、壁２に直接、上下の取付具１１、１２を取り付ける構成であるが、そのような構成であると、ミラーキャビネット５に対して適正な位置に取り付けるための位置決めが面倒である。
【００１０】
また、アンダーミラー７を下方から支持する下取付具１２を、壁２に沿ってバックガード３の上に設けると、図７（ｂ）に示すように、下取付具１２に形成された水抜き孔６１がバックガード３の上面で塞がれてしまい、アンダーミラー７と下取付具１２の間に侵入した水を排水しにくく、そのためにアンダーミラー７の下端部が水に浸されて腐食する（ふやける）等の問題も生じる。
【００１１】
このような問題を解決するために、図７（ｃ）に変形例示すように、下取付具１２をバックガード３の上面から上方に少し離して取り付け、下取付具１２に形成された水抜き孔６１がバックガード３の上面で塞がれないようにする構成も考えられるが、前方から見て見栄えが悪くなる。
【００１２】
本発明は、上記従来の課題を解決することを目的とするものであり、ミラーキャビネットとアンダーミラーの位置決めがし易く、水抜きを効果的に行えるようにする洗面化粧台を実現することを課題とする。
【課題を解決するための手段】
【００１３】
本発明は、上記課題を解決するために、後縁部にバックガードを有する洗面カウンタとミラーキャビネットを備える洗面化粧台において、バックガードとミラーキャビネットの間にバックパネルを有し、バックパネルにアンダーミラーが取り付けられていることを特徴とする洗面化粧台を提供する。
【００１４】
ミラーキャビネットは収納部と扉部を備え、収納部の下端とアンダーミラーの上端との間には隙間が設けられており、扉部の下端はアンダーミラーの上端よりも下側に位置するように延長されてなる構成とすることが好ましい。
【００１５】
アンダーミラーの上下端部を覆い水平方向に延びる上取付具、下取付具によりアンダーミラーがバックパネルに取り付けられており、下取付具は水抜き孔を備える構成とすることが好ましい。
【００１６】
水抜き孔の前端はバックガードの前端よりも前側に位置している構成とすることが好ましい。
【発明の効果】
【００１７】
本発明によると、バックガードを有する洗面カウンタとミラーキャビネットを備える洗面化粧台において、バックガードとミラーキャビネットの間にバックパネルを設け、このバックパネルにアンダーミラーを取り付ける構成としたので、ミラーキャビネットとアンダーミラーの位置決めがし易く、設置作業がし易くなる。
【図面の簡単な説明】
【００１８】
【図１】本発明に係る洗面化粧台の実施例の全体構成を示す側面図である。
【図２】上記実施例の洗面化粧台の要部を拡大した側面図である。
【図３】（ａ）は上記実施例の洗面化粧台のアンダーミラーの下取付具を説明する断面図であり、（ｂ）はアンダーミラーを下取付具でバックパネルへ取り付けた取付構造を示す断面図である。
【図４】（ａ）、（ｂ）は、それぞれ上記実施例の洗面化粧台の水抜き孔の変形例を示す断面図である。
【図５】上記実施例のバックパネルと上取付具の取り付け構造を説明する図であり、（ａ）はバックパネルと上取付具の取り付け前の斜視図であり、（ｂ）はバックパネルと上取付具の断面図である。
【図６】上記実施例のアンダーミラーと上取付具の取り付け構造を説明する図であり、（ａ）はアンダーミラーと上取付具の取り付け前の断面図であり、（ｂ）は取り付け後の断面図である。
【図７】従来例の洗面化粧台を説明する図であり、（ａ）は洗面化粧台の構成を示す側面図であり、（ｂ）は要部を説明する断面図であり、（ｃ）は要部の変形例を示す断面図である。なお、図７において、上記実施例と共通する部材等は、上記実施例と同じ符号を使用する。
【発明を実施するための形態】
【００１９】
本発明に係る洗面化粧台を実施するための形態を実施例に基づき図面を参照して、以下説明する。
【実施例】
【００２０】
本発明に係る洗面化粧台の実施例を図１〜図６において説明する。本実施例の洗面化粧台１は、図１および図２に示すように、その後面は建屋の壁２に沿い、略当接するように配置される。
【００２１】
本明細書では、本実施例の洗面化粧台１について、洗面化粧台１に向かって手前側を前側（前方）とし、背面側を後側（後方）とし、左右側を横方向（横幅方向）とする。
【００２２】
本実施例の洗面化粧台１は、図１および図２に示すように、後縁部にバックガード３を有する洗面カウンタ４とミラーキャビネット５を備え、バックガード３とミラーキャビネット５の間にバックパネル６を有し、バックパネル６にアンダーミラー７が取り付けられている。
【００２３】
バックパネル６は、バックガード３の上面に載置され、その後面は壁２に、図示はしないが、ボルト等の固定手段で固定されている。図２に示すように、バックパネル６の前面２６の上端部には上取付具１１が取り付けられており、バックパネル６の前面２６の下端部には、下取付具１２が取り付けられている。
【００２４】
バックパネル６の前面２６の上端部には、図５（ａ）、（ｂ）に示すように、上取付具１１を取り付けるための取付ピン１６が前方に向けて突設されている。取付ピン１６は、軸部１７と頭部１８から成り、頭部１８の直径は、軸部１７の直径より大きく形成されている。
【００２５】
上取付具１１は、その左右方向の長さ（横幅）がアンダーミラー７の横幅と略同じであり、長尺状に形成されている。上取付具１１は、図５（ａ）、（ｂ）に示すように、水平支持部２１を備え、さらに水平支持部２１の前後からそれぞれ下方向けて垂直に延びる前端支持部２２および取付部２３を備えている。
【００２６】
上取付具１１は、その取付部２３がバックパネル６の前面２６に取り付けられ、水平支持部２１および前端支持部２２は、アンダーミラー７の横幅方向の全域にわたってその上端部を、上方および前方から覆うようにして支持する（図６（ｂ）参照）。
【００２７】
上取付具１１の取付部２３は、図５（ａ）、（ｂ）に示すように、取付孔２７が形成されている。取付孔２７は、上下に延びる長孔部２８と、長孔部２８の上部に連通する丸孔部２９と、から成る。
【００２８】
丸孔部２９の直径は、取付ピン１６の頭部１８の直径より大きく形成されており、長孔部２８の横幅は取付ピン１６の頭部１８の直径より小さく、かつ軸部１７の直径より大きく形成されている。
【００２９】
取付部２３の前面であって取付孔２７の下方には、弾性部材３３が貼り付けられている。弾性部材３３としては、スポンジ等が使用される。
【００３０】
下取付具１２は、その左右方向の長さ（横幅）がアンダーミラー７の横幅と略同じであり、長尺状に形成されている。下取付具１２は、図３（ａ）に示すように、水平支持部３６を備え、さらに水平支持部３６の前後からそれぞれ上方向けて垂直に延びる前端支持部３７および取付部３８を備えている。
【００３１】
下取付具１２は、図３（ｂ）に示すように、その取付部３８がバックパネル６の前面２６にネジ４１で固定され、その水平支持部３６および前端支持部３７は、アンダーミラー７の下端部を下方および前方から覆うようにして支持する。
【００３２】
下取付具１２の取付部３８の前面には、上取付具１１と同様の弾性部材３３が貼り付けられている。また、下取付具１２には水抜き孔４２が形成されている。この水抜き孔４２は、図３（ａ）に示すように、前端支持部３７の下部から水平支持部３６の前端にかけての領域Ａのいずれかの位置に、下取付具１２の肉厚方向に貫通するように形成されている。
【００３３】
要するに、水抜き孔４２は、水平支持部３６と前端支持部３７の角部の近傍に設けるとよい。具体的には、図３（ａ）では、水平支持部３６の前端に設けている。また、水抜き孔４２は、図４（ａ）の変形例に示すように、水平支持部３６と前端支持部３７の角部に設けてもよい。
【００３４】
水抜き孔４２の形状は、平面視で丸孔でも良いし、図４（ｂ）の別の変形例に示すように、前後方向に延びる平面視で長孔でもよい。但し、水抜き孔４２は、いずれの形状であってもバックガード３の上面で塞がれないように、その前端は、バックガード３の上面の前端より前方に位置するように設けられている。
【００３５】
バックパネル６は、図１、図２、図３（ｂ）に示すように、バックガード３の上面に載置され、下取付具１２は、バックパネル６の前面２６に固定されるので、下取付具１２の水平支持部３６は、その前端側がバックガード３の上面から前方に向けて張り出すように配置される。なお、デザインは、図示はしないが、アンダーミラー７の前面をバックガード３の前面と揃えるようにすると見栄えは、より良くなる。
【００３６】
そして、水平支持部３６を貫通する水抜き孔４２の前端は、前記したとおり、バックガード３の上面の前端よりも前側に位置しているので、水平支持部３６を貫通する水抜き孔４２が、図７（ａ）、（ｂ）に示す従来例の洗面化粧台６０のように、バックガード３の上面によって塞がれることはない（図３（ｂ）参照）。
【００３７】
ミラーキャビネット５は、図１に示すように、収納部４５と扉部４６を備えている。扉部４６は、その前面にミラー（アッパーミラー）を設けた構成としてもよいし、ミラーは設けない構成としてもよい。本実施例では、ミラーキャビネット５のミラーの有無については、特に限定しない。
【００３８】
図６（ｂ）に示すように、収納部４５の下端４７とアンダーミラー７との間には、隙間５０が設けられている。この隙間５０が前方から見えないように、扉部４６の下端５１はアンダーミラー７の上端５２よりも下側に位置するように延長されて形成されている。
【００３９】
即ち、図６（ｂ）において、収納部４５の下端４７とアンダーミラー７の上端５２との間隔寸法をＢとし、収納部４５の下端４７と扉部４６の下端５１との間隔をＣとすると、Ｂ＜Ｃとなるように、扉部４６の上下寸法およびその下端位置、アンダーミラー７の上下寸法およびその上端位置が構成されている。
【００４０】
また、図６（ｂ）に示すように、水平支持部２１の下面と前端支持部２２の下面との上下方向の間隔をＡとし、隙間５０の寸法をＢ’とすると、Ａ＜Ｂ’となるように形成されている。
【００４１】
その意義は、作用においても説明するが、上取付具１１が隙間５０の分だけ上方に移動可能とすることにより、アンダーミラー７の上端部５２より上取付具１１の前端支持部２２の下面が上方となるので、アンダーミラー７の上端部が上取付具１１の前端支持部２２によって干渉されなくなり、アンダーミラー７を上取付具１１と下取付具１２の間に装脱可能とすることができる。
【００４２】
（作用）    
上記実施例の洗面化粧台１の構成をより明確にするために、その設置工程の一例および作用について、以下説明する。洗面化粧台１を設置する場合は、洗面カウンタ４を、その後面を壁２に沿うようにして設置する。次に、バックガード３の上面にバックパネル６を載置し、ネジ等の固定手段で壁２に固定する。
【００４３】
次に、バックパネル６の前面２６の下端部に下取付具１２をネジ４１で固定する（図３（ｂ）参照）。また、バックパネル６の前面２６の上端部における予め決められた位置に、取付ピン１６を固定する（図５（ａ）参照）。
【００４４】
次に、上取付具１１の丸孔部２９に取付ピン１６の頭部１８を通し、バックパネル６の前面２６の上端部に上取付具１１を取り付ける。なお、作業手順としては、あらかじめ、バックパネル６の前面２６の下端部に下取付具１２を固定し、バックパネル６の前面２６の上端部に取付ピン１６および上取付具１１固定しておいてもよい。
【００４５】
そして、アンダーミラー７の下端部を、下取付具１２の前端支持部３７と弾性部材３３の間に圧入し、水平支持部３６の上に載置する（図３（ｂ）参照）とともに、上取付具１１を隙間５０に向けて持ち上げた状態で、アンダーミラー７の上端部を、その後面を弾性部材３３に当接させ上取付具１１の下方に配置する（図６（ａ）参照）。
【００４６】
そして、図６（ａ）に示す状態から、上取付具１１を下方に移動すると、上取付具１１は、その長孔部２８に取付ピン１６の軸部１７が嵌合して抜け止めされ、アンダーミラー７は、弾性部材３３と上取付具１１の前端支持部２２の間で挟持される（図６（ｂ）参照）。
【００４７】
これによって、アンダーミラー７は、その上端部が、弾性部材３３と前端支持部２２の間で支持され、しかも、上取付具１１の水平支持部２１および前端支持部２２で覆われるようにして、上取付具１１を介して、バックパネル６の前面２６に取り付けられる（図２、図６（ｂ）参照）。
【００４８】
次に、ミラーキャビネット５を、バックパネル６の上に取り付ける（図１参照）。この取り付けに際して重要なことは、図６（ｂ）に示すように、ミラーキャビネット５の収納部４５の下端４７と、アンダーミラー７の上端５２（より詳細にはアンダーミラー７の上端５２を覆う上取付具１１の水平支持部２１の上面）との間に隙間５０が形成されるようにすることである。
【００４９】
この隙間５０の寸法Ｂ’は、上記したとおり、上取付具１１の水平支持部２１の下面と前端支持部２２の下面との上下方向の間隔Ａより大きく形成する。
【００５０】
このように、Ａ＜Ｂ’とすることにより、上取付具１１を隙間５０の距離だけ上方に移動し、上取付具１１の前端支持部２２の下面を、アンダーミラー７の上端５２より上方の位置にすることができ、アンダーミラー７を、上取付具１１の前端支持部２２に干渉されることなく、上取付具１１と下取付具１２の間に装着し、また取り外し可能とする。
【００５１】
次に、ミラーキャビネット５に扉部４６を取り付ける。この取付に際して重要なことは、図６（ｂ）に示すように、扉部４６は、その下端５１をアンダーミラー７の上端５２より下側に位置させるように取り付ける。このようにすれば、前方から隙間５０が見えないので、見栄えを悪くするようなことはない。
【００５２】
なお、予め、収納部４５の下端４７と扉部４６の下端５１との間隔Ｃを、隙間５０の寸法Ｂより大きくなるように、ミラーキャビネット５に扉部４６を取り付けておいてもよい。
【００５３】
本発明の洗面化粧台１の構成によると、上記のとおり、バックガード３の上にバックパネル６を載置して壁２に取り付け、バックパネル６の上端部および下端部の予め決められた位置に上取付具１１および下取付具１２を取り付け、これら上取付具１１および下取付具１２の間にアンダーミラー７を装着し、さらにバックパネル６の上にミラーキャビネット５の収納部４５を取り付ければ設置できるので、ミラーキャビネット５とアンダーミラー７の取り付け位置の位置決めがし易い。
【００５４】
従って、本発明の洗面化粧台１の構成によれば、従来例の洗面化粧台６０のように、壁２にアンダーミラー７を取り付けるため、壁２に対する上取付具１１および下取付具１２の取り付け位置を、寸法を測る等して決める必要はなくなるので、ミラーキャビネット５とアンダーミラー７を、壁２に対して、効率的で簡単に位置決めして取り付けることが可能となる。
【００５５】
また、アンダーミラー７を下取付具１２の水平支持部３６の上に載置しても、図３（ｂ）に示すように、水抜き孔４２の前端は、バックガード３の前端より前方に位置するように構成されているので、水抜き孔４２は、バックガード３の上面で塞がれることはない。
【００５６】
従って、洗面化粧台１のシンクからアンダーミラー７に跳ねかけられた水が、アンダーミラー７を流下して、下取付具１２とアンダーミラー７の隙間に侵入しても、水抜き孔４２から効果的に洗面カウンタ４のシンクに排水され、アンダーミラー７の下端部が水で浸食される（ふやける）ようなことは防止できる。
【００５７】
以上、本発明に係る洗面化粧台を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５８】
本発明に係る洗面化粧台は上記のような構成であるから、バックガードと上方のキャビネットの間にミラーが設けられるタイプの各種の洗面化粧台に適用可能である。
【符号の説明】
【００５９】
１  洗面化粧台                                     
２  壁                                             
３  バックガード                                   
４  洗面カウンタ                                   
５  ミラーキャビネット                             
６  バックパネル                                   
７  アンダーミラー                                 
１１  上取付具                                   
１２  下取付具                                   
１６  取付ピン                                   
１７  取付ピンの軸部                            
１８  取付ピンの頭部                             
２１  上取付具の水平支持部                       
２２  上取付具の前端支持部                           
２３  上取付具の取付部                               
２６  バックパネルの前面                       
２７  取付孔                                     
２８  取付孔の長孔部                                 
２９  取付孔の丸孔部                                 
３３  弾性部材                                  
３６  下取付具の水平支持部                       
３７  下取付具の前端支持部                       
３８  下取付具の取付部                           
４１  ネジ                                       
４２  水抜き孔                                   
４５  収納部                                     
４６  扉部                                       
４７  収納部の下端                           
５０  隙間                                      
５１  扉部の下端                             
５２  アンダーミラーの上端 
６０  洗面化粧台
６１  水抜き孔
【図１】
2018029792.tif 000003
【図２】
2018029792.tif 000004
【図３】
2018029792.tif 000005
【図４】
2018029792.tif 000006
【図５】
2018029792.tif 000007
【図６】
2018029792.tif 000008
【図７】
2018029792.tif 000009